(57)【特許請求の範囲】
【請求項１】
結露発生の検出対象となっている対象物に結露が発生したかまたはそのおそれがあることを検出する結露検出装置において、
湿度により抵抗値が変化する結露センサと、
前記結露センサの抵抗値を電圧値に変換する変換手段と、
前記変換手段より出力された電圧値と基準電圧値とを比較することによって、前記対象物に結露が発生したかまたはそのおそれがある状態に至ったことを検出する検出手段と、
前記検出手段で用いる基準電圧値として、第１の基準電圧値とこの第１の基準電圧値よりも電圧値の低い第２の基準電圧値とのいずれかを選択的に発生して、前記検出手段に供給する基準電圧発生手段と、
実質的に雰囲気温度を検出する第１の温度センサと、
実質的に前記対象物の温度を検出する第２の温度センサと、
前記第１の温度センサによって検出された雰囲気温度が前記第２の温度センサによって検出された前記対象物の温度よりも所定の温度以上高いか否かを判定すると共に、前記雰囲気温度が前記対象物の温度よりも所定の温度以上高いと判定しないときには、前記基準電圧発生手段が前記第１の基準電圧値を発生するよう前記基準電圧発生手段を制御し、前記雰囲気温度が前記対象物の温度よりも所定の温度以上高いと判定したときには、前記基準電圧発生手段が前記第２の基準電圧値を発生するよう前記基準電圧発生手段を制御する基準電圧可変手段と
を備えて構成したことを特徴とする結露検出装置。
【発明の詳細な説明】
【０００１】
【発明の属する技術分野】
本発明は、例えば可搬型映像記録装置に用いられる結露検出装置に関する。
【０００２】
【従来の技術】
ビデオテープレコーダ（ＶＴＲ）のような回転磁気ヘッドを有した磁気記録再生装置において、回転ドラムや固定ドラムからなるドラム構造体の表面が結露すると、ドラムの外周面に摺接した状態で走行する磁気テープがドラム構造体の外周面に張り付いて、磁気テープに損傷を与えたり、ヘッドが目詰まりしたりする等の不具合が発生する。そこで、この種の磁気記録再生装置では、従来から、結露検出装置を設けて、結露を検出した場合にドラム構造体の回転を止めて、磁気テープを保護するのが一般的である。
【０００３】
結露検出装置に用いる結露センサは湿度により抵抗値が変化し、この抵抗値によって結露発生の有無を検出するものである。温度と湿度が共に低く安定した状態から高温多湿の状態に移ると、結露センサの抵抗値は時間遅れを伴って上昇する。従って、従来の結露検出装置では、結露が発生したと判別する前に、磁気記録再生装置の内部に結露が発生してしまう可能性がある。
【０００４】
そこで、結露の発生を短時間に検出するため、実開昭６０−７９１５０号公報（先願１）に記載されているように、温度が低いときに結露センサのしきい値を変える方法や、特開平９−３０６０５６号公報（先願２）に記載されているように、装置の電源投入直後にしきい値を変える方法が提案されている。
【０００５】
【発明が解決しようとする課題】
しかしながら、結露は、熱容量の大きい物質が、自己の温度よりも温度の高い空気に触れたときに空気が冷やされ、水蒸気が水として析出するものある。よって、必ずしも温度が低いときにのみ結露が発生しやすい訳ではない。よって、上記の先願１に記載の方法は得策とは言えない。また、電源投入直後であるか否かも結露が発生しやすい条件とは無関係で、上記の先願２に記載の方法も得策とは言えない。
【０００６】
例えば室内で使用している装置に暖かい空気が急に当たった場合や、空調機から暖かい空気が吹き出してきた場合、あるいは、梅雨時や夏に可搬型映像記録装置（カメラ一体型ＶＴＲ）を通電状態のまま空調の効いた室内から高温多湿の屋外に持ち出した場合等では、装置の温度が低くなくても外気温が急激に上昇するような条件下で結露が発生しやすい。従来の結露検出装置においては、結露を短時間に正確に検出することができないという問題点があった。
【０００７】
本発明はこのような問題点に鑑みなされたものであり、結露を短時間に正確に検出することができる結露検出装置を提供することを目的とする。
【０００８】
【課題を解決するための手段】
本発明は、上述した従来の技術の課題を解決するため、結露発生の検出対象となっている対象物に結露が発生したかまたはそのおそれがあることを検出する結露検出装置において、湿度により抵抗値が変化する結露センサ（１）と、前記結露センサの抵抗値を電圧値に変換する変換手段（２，３１）と、前記変換手段より出力された電圧値と基準電圧値とを比較することによって、前記対象物に結露が発生したかまたはそのおそれがある状態に至ったことを検出する検出手段（３３）と、前記検出手段で用いる基準電圧値として、第１の基準電圧値とこの第１の基準電圧値よりも電圧値の低い第２の基準電圧値とのいずれかを選択的に発生して、前記検出手段に供給する基準電圧発生手段（３２）と、実質的に雰囲気温度を検出する第１の温度センサ（４）と、実質的に前記対象物の温度を検出する第２の温度センサ（５）と、前記第１の温度センサによって検出された雰囲気温度が前記第２の温度センサによって検出された前記対象物の温度よりも所定の温度以上高いか否かを判定すると共に、前記雰囲気温度が前記対象物の温度よりも所定の温度以上高いと判定しないときには、前記基準電圧発生手段が前記第１の基準電圧値を発生するよう前記基準電圧発生手段を制御し、前記雰囲気温度が前記対象物の温度よりも所定の温度以上高いと判定したときには、前記基準電圧発生手段が前記第２の基準電圧値を発生するよう前記基準電圧発生手段を制御する基準電圧可変手段（３４）とを備えて構成したことを特徴とする結露検出装置を提供する。
【０００９】
【発明の実施の形態】
以下、本発明の結露検出装置について、添付図面を参照して説明する。図１は本発明の結露検出装置の一実施形態を示すブロック図、図２は本発明の結露検出装置の作用を説明するための特性図、図３は結露検出装置の参考形態を示すブロック図、図４は本発明の結露検出装置を可搬型映像記録装置に設けた場合の構成例を示す平面図である。
【００１０】
＜一実施形態＞
図１において、結露センサ１は、湿度により抵抗値が変化するセンサである。結露センサ１より出力された抵抗値は、変換回路２に入力されて電圧値へと変換される。変換回路２より出力された電圧値は、マイクロコンピュータ（以下、マイコン）３に入力される。マイコン３は、Ａ／Ｄ変換回路３１，基準電圧発生回路３２，比較回路３３，判別回路３４を備える。
【００１１】
変換回路２より出力された電圧値は、Ａ／Ｄ変換回路３１に入力されてデジタル信号へと変換される。Ａ／Ｄ変換回路３１より出力されたデジタル信号は、比較回路３３に入力される。基準電圧発生回路３２は、判別回路３４による判別結果に応じて、第１または第２の基準電圧のいずれかを発生して、比較回路３３に供給する。
【００１２】
さらに、雰囲気温度センサ４は、実質的に、結露検出装置を装着した装置の雰囲気温度（気温）を検出するセンサであり、この雰囲気温度センサ４の検出出力は判別回路３４に入力される。装置温度センサ５は、実質的に、結露発生の有無を検出する対象となっている対象物の温度を検出するセンサであり、この装置温度センサ５の検出出力は判別回路３４に入力される。結露検出装置を設ける装置が可搬型映像記録装置のようなＶＴＲの場合、結露発生の有無を検出する対象となっている対象物はドラム構造体である。よって、装置温度センサ５をドラム構造体に装着するか、ドラム構造体と等価の温度を有する部分に装着すればよい。
【００１３】
図２は、温度と湿度が共に低く安定した状態Ａから、高温多湿の状態Ｂに移った場合の、結露センサ１の抵抗値の変化を示している。図２より分かるように、結露センサ１の抵抗値は時間遅れを伴って上昇する。
【００１４】
図１に戻り、比較回路３３は、Ａ／Ｄ変換回路３１より入力されたデジタル信号（即ち、結露センサ１の抵抗値を電圧値に変換した値）が、基準電圧発生回路３２より入力された基準電圧よりも高い場合に結露が発生したと判断する。なお、ここでは、結露が発生したと表現したが、結露発生とは、結露発生の検出対象となっている対象物に実際に結露が発生したこと、及び、結露発生のおそれがあると状態に至ったことの双方を含むこととする。
【００１５】
比較回路３３は、結露発生の検出信号を表示部６に供給し、表示部６には、結露発生の警告表示がなされる。ここで、基準電圧発生回路３２が発生する基準電圧は、通常状態では、図２に示す第１の基準電圧Ｖ１である。表示部６は、結露発生の警告表示専用の表示部でなくてもよく、ＶＴＲの他の情報を表示する表示部と兼用のものであってもよい。また、表示部６に表示する代わり、または、表示部６に表示するのに併せて、アラームによって警報音を発してもよい。
【００１６】
雰囲気温度センサ４が検出した雰囲気温度が、装置温度センサ５が検出した装置温度よりも所定の温度差以上高い場合、結露が発生しやすい。そこで、判別回路３４は、雰囲気温度が装置温度よりも所定の温度差以上高いと判別したとき、第１の基準電圧Ｖ１よりも低い第２の基準電圧Ｖ２（図２参照）を発生するよう、基準電圧発生回路３２を制御する。これにより、比較回路３３は、Ａ／Ｄ変換回路３１より入力されたデジタル信号が第２の基準電圧Ｖ２を超えたとき、結露が発生したと判断することとなる。
【００１７】
従って、結露が発生したか否か判断するためのしきい値が第１の基準電圧Ｖ１のときには、結露の発生を検出するまでの時間はＴ１であるのに対し、しきい値が第２の基準電圧Ｖ２のときには、結露の発生を検出するまでの時間はＴ１よりも短いＴ２となる。よって、一実施形態によれば、結露を短時間に正確に検出することが可能となる。
【００１８】
＜参考形態＞
図３に示す参考形態において、図１に示す一実施形態と同一部分には同一符号を付し、その説明を省略することがある。図３において、雰囲気温度センサ４の検出出力は、マイコン３′の判別回路３４とメモリ３５に入力される。メモリ３５は、雰囲気温度センサ４より得られる所定時間（例えば１分間）の検出出力（温度データ）を記憶し続ける。判別回路３４は、雰囲気温度センサ４より入力されたメモリ３５より、現在の温度データと、メモリ３５より入力された所定時間過去（例えば１分前）の温度データとを比較し、現在の雰囲気温度が所定時間前の雰囲気温度よりも所定温度以上（例えば５℃以上）上昇したかを判定する。
【００１９】
判別回路３４は、雰囲気温度が所定温度以上上昇したと判別すると、第１の基準電圧Ｖ１よりも低い第２の基準電圧Ｖ２を発生するよう、基準電圧発生回路３２を制御する。これにより、比較回路３３は、Ａ／Ｄ変換回路３１より入力されたデジタル信号が第２の基準電圧Ｖ２を超えたとき、結露が発生したと判断することとなる。
【００２０】
従って、結露が発生したか否か判断するためのしきい値が第１の基準電圧Ｖ１のときには、結露の発生を検出するまでの時間はＴ１であるのに対し、しきい値が第２の基準電圧Ｖ２のときには、結露の発生を検出するまでの時間はＴ１よりも短いＴ２となる。よって、参考形態によれば、結露を短時間に正確に検出することが可能となる。参考形態は、一実施形態と比較して、温度センサを１つ削減することができる。メモリ３５は、マイコン３′に内蔵のものを用いればよいので、参考形態は一実施形態よりも安価となる。
【００２１】
ここで、本発明の結露検出装置を可搬型映像記録装置に装着する場合、一実施形態及び参考形態における結露センサ１，雰囲気温度センサ４を可搬型映像記録装置のどこに設けるかについて説明する。
【００２２】
図４は、可搬型映像記録装置の側面平面図であり、サイドパネルを外した状態を示している。図４において、メインデッキ１１には、カセットハウジング１２と、回転磁気ヘッドを搭載したドラム構造体１３と、ローディングモータ１４が取り付けられている。結露センサ１は、このメインデッキ１１の、ドラム構造体１３よりもカセットハウジング１２に近い位置に取り付けられている。記録媒体であるテープカセットを装着したり交換したりする場合には、カセットハウジング１２を介して空気が装置内に流入する。結露センサ１をカセットハウジング１２の近傍に取り付けているので、ドラム構造体１３に結露が発生するよりも前に、あるいは、結露が発生すると即座に結露の発生を検出することが可能となる。
【００２３】
雰囲気温度センサ４は、例えば、メインデッキ１１外の所定位置に取り付けられている。雰囲気温度センサ４は、空気温度を測定するものであるので、空気温度の変化に対する追従性がよい部分に取り付ければよい。ドラム構造体１３のような金属は熱容量が大きく、空気温度の変化に対する追従性が悪い。そこで、ドラム構造体１３よりも熱容量の小さい部材に取り付ける。熱容量の小さい部材の好適な一例は、プリント基板である。プリント基板は熱容量が小さく、熱伝導率も小さいので、空気温度の変化に追従しやすい。ここでは図示していないが、装置温度センサ５は、ドラム構造体１３に取り付けるか、ドラム構造体１３と同等の熱容量を有する部材に取り付ける。
【００２４】
図４に示す例では、雰囲気温度センサ４を装置内部に設けているが、外気が直接触れるよう、雰囲気温度センサ４を筐体外に臨むよう設けてもよい。この場合、可搬型映像記録装置の操作に邪魔とならない部分、例えば、可搬型映像記録装置下面の凹部１５に設ければよい。
【００２５】
本発明は、以上説明した本実施形態に限定されることなく、本発明の要旨を逸脱しない範囲において種々変更可能である。本発明の結露検出装置は、可搬型映像記録装置だけでなく、他の装置に用いることもできる。
【００２６】
【発明の効果】
以上詳細に説明したように、本発明の結露検出装置は、雰囲気温度が結露発生の検出対象となっている対象物の温度よりも所定の温度以上高いと判定されたとき、結露発生を検出するためのしきい値である基準電圧値を低下させるよう構成したので、結露を短時間に正確に検出することができる。
【図面の簡単な説明】
【図１】  本発明の一実施形態を示すブロック図である。
【図２】  本発明の作用を説明するための特性図である。
【図３】  参考形態を示すブロック図である。
【図４】  本発明を可搬型映像記録装置に設けた場合の構成例を示す平面図である。
【符号の説明】
１  結露センサ
２  変換回路（変換手段）
３，３′  マイクロコンピュータ
４  雰囲気温度センサ
５  装置温度センサ
６  表示部
３１  Ａ／Ｄ変換回路（変換手段）
３２  基準電圧発生回路（基準電圧発生手段）
３３  比較回路（検出手段）
３４  判別回路（基準電圧可変手段）
３５  メモリ
【図１】
0003982303.tif 000002
【図２】
0003982303.tif 000003
【図３】
0003982303.tif 000004
【図４】
0003982303.tif 000005